(57)【要約】【課題】振動や衝撃に対する耐性を低下させることなく、ディスク記憶媒体を振動や衝撃から保護すべき状態におけるハードディスクドライブに対するアクセスを可能とする。【解決手段】表示パネルが閉じられたことを表示パネル開閉センサ１２２が検知すると、ＣＰＵ１１１は、ハードディスク２０２へのアクセスを禁止し、不揮発性メモリ２０３のみの使用で動作させる命令をハードディスクコントローラ２０１に発行する。また、表示パネルが開かれたことを表示パネル開閉センサ１２２が検知すると、ＣＰＵ１１１は、不揮発性メモリ２０３とハードディスク２０２との間でデータの同期を取った上で、ハードディスク２０２へのアクセスを使用した動作に復帰させる命令をハードディスクコントローラ２０１に発行する。【選択図】図２
2008140076.tif 000002
【特許請求の範囲】
【請求項１】
本体に開閉自在に取り付けられる表示パネルと、
前記表示パネルの開閉状態を検出する開閉センサと、
ディスク記憶媒体と不揮発性メモリデバイスとを内蔵し、前記不揮発性メモリデバイスを必要に応じてバッファとして利用して前記ディスク記憶媒体に対するアクセスを実行する第１の動作モードと、前記ディスク記憶媒体に対するアクセスが禁止されて前記不揮発性メモリデバイスに対するアクセスのみを実行する第２の動作モードとを有するディスクドライブと、
前記開閉センサにより前記表示パネルが閉じられたことを検知した場合、前記第１の動作モードから前記第２の動作モードに前記ディスクドライブを移行させ、前記開閉センサにより前記表示パネルが開かれたことを検知した場合、前記第２の動作モードから前記第１の動作モードに前記ディスクドライブを復帰させる制御手段と、
を具備することを特徴とする情報処理装置。
【請求項２】
前記ディスクドライブは、前記第２の動作モード中は前記ディスク記憶媒体を回転させないことを特徴とする請求項１記載の情報処理装置。
【請求項３】
前記制御手段は、前記第２の動作モードから前記第１の動作モードに前記ディスクドライブを復帰させる場合に、前記第２の動作モード中に前記不揮発性メモリデバイスのみに書き込まれたデータを前記ディスク記憶媒体に反映させる同期処理を前記ディスクドライブに実行させる手段を有することを特徴とする請求項１記載の情報処理装置。
【請求項４】
加速度を検出する加速度センサと、
ディスク記憶媒体と不揮発性メモリデバイスとを内蔵し、前記不揮発性メモリデバイスを必要に応じてバッファとして利用して前記ディスク記憶媒体に対するアクセスを実行する第１の動作モードと、前記ディスク記憶媒体に対するアクセスが禁止されて前記不揮発性メモリデバイスに対するアクセスのみを実行する第２の動作モードとを有するディスクドライブと、
前記加速度センサにより検出される加速度が所定値を越えた場合、前記第１の動作モードから前記第２の動作モードに前記ディスクドライブを移行させ、前記加速度センサにより検出される加速度が前記所定値以下となった場合、前記第２の動作モードから前記第１の動作モードに前記ディスクドライブを復帰させる制御手段と、
を具備することを特徴とする情報処理装置。
【請求項５】
前記ディスクドライブは、前記第２の動作モード中は前記ディスク記憶媒体を回転させないことを特徴とする請求項４記載の情報処理装置。
【請求項６】
前記制御手段は、前記第２の動作モードから前記第１の動作モードに前記ディスクドライブを復帰させる場合に、前記第２の動作モード中に前記不揮発性メモリデバイスのみに書き込まれたデータを前記ディスク記憶媒体に反映させる同期処理を前記ディスクドライブに実行させる手段を有することを特徴とする請求項４記載の情報処理装置。
【請求項７】
バッテリと、
前記バッテリの残量を検出する検出手段と、
ディスク記憶媒体と不揮発性メモリデバイスとを内蔵し、前記不揮発性メモリデバイスを必要に応じてバッファとして利用して前記ディスク記憶媒体に対するアクセスを実行する第１の動作モードと、前記ディスク記憶媒体に対するアクセスが禁止されて前記不揮発性メモリデバイスに対するアクセスのみを実行する第２の動作モードとを有するディスクドライブと、
前記バッテリからの電力で駆動している期間中において、前記検出手段により検出される前記バッテリの残量が所定値を下回った場合、前記第１の動作モードから前記第２の動作モードに前記ディスクドライブを移行させる制御手段と、
を具備することを特徴とする情報処理装置。
【請求項８】
前記ディスクドライブは、前記第２の動作モード中は前記ディスク記憶媒体を回転させないことを特徴とする請求項７記載の情報処理装置。
【請求項９】
前記制御手段は、外部電源からの電力が供給され始めた場合、前記第２の動作モードから前記第１の動作モードに前記ディスクドライブを復帰させる手段を有することを特徴とする請求項７記載の情報処理装置。
【請求項１０】
前記制御手段は、前記第２の動作モードから前記第１の動作モードに前記ディスクドライブを復帰させる場合に、前記第２の動作モード中に前記不揮発性メモリデバイスのみに書き込まれたデータを前記ディスク記憶媒体に反映させる同期処理を前記ディスクドライブに実行させる手段を有することを特徴とする請求項９記載の情報処理装置。
【発明の詳細な説明】
【技術分野】
【０００１】
この発明は、例えばノートブック型パーソナルコンピュータのようなバッテリ駆動可能で携行容易な情報処理装置に適用して好適なディスク保護技術に関する。
【背景技術】
【０００２】
近年、ノートパソコンなどと称される、バッテリ駆動可能で携行容易なパーソナルコンピュータが広く普及している。このノートブック型パーソナルコンピュータのような情報処理装置においては、ハードディスクドライブをストレージデバイスとして用いることが一般的である。ハードディスクドライブは、ハードディスクと称されるディスク記憶媒体にデータを格納する記憶装置である。
【０００３】
ハードディスクドライブに内蔵されるディスク記憶媒体は、半導体メモリデバイスに比べて振動や衝撃に対する強度が弱い。そのため、このディスク記憶媒体を振動や衝撃から保護するための提案も、これまで種々なされている（例えば特許文献１等参照）。
【特許文献１】特開２００５−２４２７１６号公報
【発明の開示】
【発明が解決しようとする課題】
【０００４】
ところで、最近では、インターネットの普及等に伴い、電子メールが主要な情報伝達手段となっている。このようなことから、自分宛ての電子メールの着信有無を定期的にチェックし、着信があれば、その電子メールをメールサーバから自動的に取り出す機能を備えるメーラーなども開発されている。
【０００５】
従って、ディスク記憶媒体を振動や衝撃から保護すべき状態にあったとしても、ハードディスクドライブへのアクセスを一律に禁止してしまう従来の方策は、前述のようなメーラーが搭載される情報処理装置の実情には適さないものとなってしまっている。
【０００６】
この発明は、このような事情を考慮してなされたものであり、振動や衝撃に対する耐性を低下させることなく、ディスク記憶媒体を振動や衝撃から保護すべき状態におけるハードディスクドライブに対するアクセスを可能とした情報処理装置を提供することを目的とする。
【課題を解決するための手段】
【０００７】
前述の目的を達成するために、この発明の情報処理装置は、本体に開閉自在に取り付けられる表示パネルと、前記表示パネルの開閉状態を検出する開閉センサと、ディスク記憶媒体と不揮発性メモリデバイスとを内蔵し、前記不揮発性メモリデバイスを必要に応じてバッファとして利用して前記ディスク記憶媒体に対するアクセスを実行する第１の動作モードと、前記ディスク記憶媒体に対するアクセスが禁止されて前記不揮発性メモリデバイスに対するアクセスのみを実行する第２の動作モードとを有するディスクドライブと、前記開閉センサにより前記表示パネルが閉じられたことを検知した場合、前記第１の動作モードから前記第２の動作モードに前記ディスクドライブを移行させ、前記開閉センサにより前記表示パネルが開かれたことを検知した場合、前記第２の動作モードから前記第１の動作モードに前記ディスクドライブを復帰させる制御手段と、を具備することを特徴とする。
【０００８】
また、この発明の情報処理装置は、加速度を検出する加速度センサと、ディスク記憶媒体と不揮発性メモリデバイスとを内蔵し、前記不揮発性メモリデバイスを必要に応じてバッファとして利用して前記ディスク記憶媒体に対するアクセスを実行する第１の動作モードと、前記ディスク記憶媒体に対するアクセスが禁止されて前記不揮発性メモリデバイスに対するアクセスのみを実行する第２の動作モードとを有するディスクドライブと、前記加速度センサにより検出される加速度が所定値を越えた場合、前記第１の動作モードから前記第２の動作モードに前記ディスクドライブを移行させ、前記加速度センサにより検出される加速度が前記所定値以下となった場合、前記第２の動作モードから前記第１の動作モードに前記ディスクドライブを復帰させる制御手段と、を具備することを特徴とする。
【０００９】
また、この発明の情報処理装置は、バッテリと、前記バッテリの残量を検出する検出手段と、ディスク記憶媒体と不揮発性メモリデバイスとを内蔵し、前記不揮発性メモリデバイスを必要に応じてバッファとして利用して前記ディスク記憶媒体に対するアクセスを実行する第１の動作モードと、前記ディスク記憶媒体に対するアクセスが禁止されて前記不揮発性メモリデバイスに対するアクセスのみを実行する第２の動作モードとを有するディスクドライブと、前記バッテリからの電力で駆動している期間中において、前記検出手段により検出される前記バッテリの残量が所定値を下回った場合、前記第１の動作モードから前記第２の動作モードに前記ディスクドライブを移行させる制御手段と、を具備することを特徴とする。
【発明の効果】
【００１０】
この発明によれば、振動や衝撃に対する耐性を低下させることなく、ディスク記憶媒体を振動や衝撃から保護すべき状態におけるハードディスクドライブに対するアクセスを可能とした情報処理装置を提供することができる。
【発明を実施するための最良の形態】
【００１１】
以下、図面を参照してこの発明の実施形態を説明する。
【００１２】
（第１実施形態）
まず、この発明の第１実施形態について説明する。
【００１３】
図１は、ディスプレイユニットを開いた状態における本第１実施形態の情報処理装置を正面側から見た斜視図である。この情報処理装置は、バッテリ駆動可能な携帯型のノートブック型パーソナルコンピュータ１０として実現されている。
【００１４】
本コンピュータ１０は、コンピュータ本体１１と表示パネル１２とから構成される。表示パネル１２には、ＬＣＤ１２１（Liquid Crystal Display）から構成される表示装置が組み込まれており、そのＬＣＤ１２１の表示画面は表示パネル１２のほぼ中央に位置されている。
【００１５】
表示パネル１２はコンピュータ本体１１に支持され、そのコンピュータ本体１１に対してコンピュータ本体１１の上面が露出される開放位置とコンピュータ本体１１の上面を覆う閉塞位置との間を回動自由に取り付けられている。コンピュータ本体１１は薄い箱形の筐体を有しており、その上面にはキーボード１３、本コンピュータ１０をパワーオン／オフするためのパワーボタン１４、タッチパッド１５等が配置されている。
【００１６】
図２は、本コンピュータ１０のシステム構成を示す図である。図２に示すように、本コンピュータ１０は、ＣＰＵ１１１、メインメモリ１１２、ハードディスクドライブ（ＨＤＤ）１１３、表示コントローラ１１４、リアルタイムクロック（ＲＴＣ）１１５、エンベデッドコントローラ（ＥＣ）１１６、ＢＩＯＳ−ＲＯＭ１１７、電源回路１１８、バッテリ１１９、表示パネル開閉センサ１２２等を備えている。
【００１７】
ＣＰＵ１１１は、本コンピュータ１０の各部の動作を制御するプロセッサである。ＣＰＵ１１１は、ＨＤＤ１１３からメインメモリ１１２にロードされる、オペレーティングシステムおよび各種アプリケーションプログラムを実行する。また、ＣＰＵ１１１は、ＢＩＯＳ−ＲＯＭ１１７に格納されたＢＩＯＳも実行する。ＢＩＯＳは、ハードウェア制御のためのプログラムである。
【００１８】
本コンピュータ１０のＨＤＤ１１３は、ハイブリッドディスクドライブなどと称されるディスクドライブであり、ハードディスクコントローラ２０１、ハードディスク２０２および不揮発性メモリ２０３を内蔵している。ハードディスク２０２はディスク記憶媒体である。ハードディスクコントローラ２０１は、ＣＰＵ１１１から供給されるコマンドに応じて、ハードディスク２０２からデータを読み出す動作と、ハードディスク２０２にデータを書き込む動作とを制御する。ハードディスク２０２へのデータ書き込みおよびハードディスク２０２からのデータ読み出しは、ＨＤＤ１１３内に設けられた機械的な駆動機構を用いて実行される。この駆動機構は、ハードディスク２０２を回転させるスピンドルモータ、データ書き込みおよび読み出しのためのヘッド、およびヘッドを移動するためのアクチュエータ等を含んでいる。このような機械的な駆動機構を用いてデータ書き込みおよびデータ読み出しが実行されることから、ハードディスク２０２は、振動や衝撃に対する強度がどうしても弱くなってしまう。従って、例えばコンピュータの携行中はＨＤＤに対するアクセスを禁止する等、種々の対策がこれまで講じられてきている。
【００１９】
一方で、最近では、自分宛ての電子メールの着信有無を定期的にチェックし、着信があれば、その電子メールをメールサーバから自動的に取り出す機能を備えるメーラーなどが使用されることも多く、携行中であってもＨＤＤに対するアクセスを行いたい状況が生じてきている。そこで、本コンピュータ１０は、振動や衝撃に対する耐性を低下させることなく、ハードディスク２０２を振動や衝撃から保護すべき状態におけるＨＤＤ１１３に対するアクセスを可能としたものであり、以下、この点について詳述する。
【００２０】
なお、表示コントローラ１１４は、本コンピュータ１０のディスプレイモニタとして使用されるＬＣＤ１２１を制御するコントローラである。ＲＴＣ１１５は、日付および時間を計時する時計モジュール（タイマ）であり、ＲＴＣ１１５専用の電池から常時電力が供給されている。ＥＣ１１６は、電源回路１１８と共同して、本システム内の各部への電力の供給を制御するコントローラである。ＥＣ１１６には、電源回路１１８から常時電力が供給されている。電源回路１１８は、ＥＣ１１６の制御の下、コンピュータ本体１１内に設けられたバッテリ１１９からの電力、またはＡＣアダプタ１２０を介して供給される外部電源からの電力を用いて、各部に電力を供給する。そして、表示パネル開閉センサ１２２は、表示パネル１２が前述の開放位置から閉塞位置に変わった事、および閉塞位置から開放位置に変わった事を検出するためのセンサである。
【００２１】
いま、ユーザが表示パネル１２を閉じた場合を想定する。表示パネル１２を閉じたということは、これから本コンピュータ１０が携行される可能性が高く、振動や衝撃を受けるおそれが高くなったわけである。そこで、本コンピュータ１０では、表示パネル開閉センサ１２２が、表示パネル１２が開放位置から閉塞位置へ変化したことを検知し、その旨を示す制御信号をＥＣ１１６に通知する。一方、この制御信号を受け取ったＥＣ１１６は、その旨をＣＰＵ１１１に通知するための割り込みを発生させる。
【００２２】
ＨＤＤ１１３のハードディスクコントローラ２０１は、前述のように、ＣＰＵ１１１から供給されるコマンドに応じて、ハードディスク２０２からデータを読み出す動作と、ハードディスク２０２にデータを書き込む動作とを制御するものである。そして、ハードディスクコントローラ２０１は、このハードディスク２０２に対するアクセスの際、不揮発性メモリ２０３を必要に応じてバッファとして使用する。ここでは、この通常時の動作モードを第１の動作モードと称することとする。
【００２３】
ハードディスクコントローラ２０１は、ＣＰＵ１１１から所定の制御コマンド（コマンドＡ）を受け取ると、ハードディスク２０２へのアクセスを禁止し、不揮発性メモリ２０３に対するアクセスのみを実行する動作モードへと移行する。ここでは、この動作モードを第２の動作モードと称することとなる。この第２の動作モードへの移行時、ハードディスクコントローラ２０１は、ハードディスク２０２を回転させるスピンドルモータ、データ書き込みおよび読み出しのためのヘッド、およびヘッドを移動するためのアクチュエータ等を含む機械的な駆動機構をすべて停止させる。
【００２４】
そこで、ＥＣ１１６が割り込みを発生させたことにより、表示パネル１２が閉じられたことを検知したＣＰＵ１１１は、ＨＤＤ１１３のハードディスクコントローラ２０１に対して、このコマンドＡを発行して、ＨＤＤ１１３を第２の動作モードへ移行させる。第２の動作モードに移行しても、不揮発性メモリ２０３に対するアクセスは継続される（ＨＤＤ１１３に対するアクセスが一律にされるわけではない）ので、自分宛ての新着メールのＨＤＤ１１３への格納は可能である。また、ハードディスク２０２に対するアクセスは禁止されるので、振動や衝撃に対する耐性を低下させることもない。
【００２５】
次に、ユーザが表示パネル１２を開いた場合を想定する。そうすると、表示パネル開閉センサ１２２が、閉塞位置から開放位置へ変化したことを検知して、その旨を示す制御信号をＥＣ１１６に通知する。一方、この制御信号を受け取ったＥＣ１１６は、その旨をＣＰＵ１１１に通知するための割り込みを発生させる。
【００２６】
ハードディスクコントローラ２０１は、ＣＰＵ１１１から所定の制御コマンド（コマンドＢ）を受け取ると、ハードディスク２０２を回転させるスピンドルモータ、データ書き込みおよび読み出しのためのヘッド、およびヘッドを移動するためのアクチュエータ等を含む機械的な駆動機構を再稼働させて第２の動作モード中に不揮発性メモリ２０３のみに書き込まれたデータをハードディスク２０２に反映させる同期処理を行った後、ハードディスク２０２へのアクセスを許可する。
【００２７】
そこで、ＥＣ１１６が割り込みを発生させたことにより、表示パネル１２が開かれたことを検知したＣＰＵ１１１は、ＨＤＤ１１３のハードディスクコントローラ２０１に対して、このコマンドＢを発行して、ＨＤＤ１１３を第１の動作モードへ移行させる。これにより、表示パネル１２を開いた時点から、ＨＤＤ１１３を通常時の動作モードである第１の動作モードで動作させることが可能となる。
【００２８】
図３は、本第１実施形態のコンピュータ１０のハードディスク２０２の保護に関わる動作原理を示すフローチャートである。
【００２９】
表示パネル１２が閉じられると（ステップＡ１のＹＥＳ）、表示パネル開閉センサ１２２によって検知され、ＥＣ１１６経由でＣＰＵ１１１へと伝達される。そして、表示パネル１２が閉じられたことを知ったＣＰＵ１１１は、ハードディスク２０２へのアクセスを禁止し、不揮発性メモリ２０３のみの使用で動作させる命令をハードディスクコントローラ２０１に発行する（ステップＡ２）。
【００３０】
また、表示パネル１２が開かれると（ステップＡ３のＹＥＳ）、表示パネル開閉センサ１２２により検知され、ＥＣ１１６経由でＣＰＵ１１１へと伝達される。そして、表示パネル１２が開かれたことを知ったＣＰＵ１１１は、不揮発性メモリ２０３とハードディスク２０２との間でデータの同期を取った上で、ハードディスク２０２へのアクセスを使用した動作に復帰させる命令をハードディスクコントローラ２０１に発行する（ステップＡ４，Ａ５）。
【００３１】
このように、本コンピュータ１０によれば、振動や衝撃に対する耐性を低下させることなく、ハードディスク２０２を振動や衝撃から保護すべき状態におけるＨＤＤ１１３に対するアクセスを可能とする。
【００３２】
（第２実施形態）
次に、この発明の第２実施形態について説明する。
【００３３】
図４は、第２実施形態に係るコンピュータ１０のシステム構成を示す図である。図２に示した第１実施形態のコンピュータ１０とのシステム構成上の違いは、表示パネル開閉センサ１２２の代わりに、加速度センサ１２３を設けた点にある。
【００３４】
加速度センサ１２３がある程度の大きさをもつ加速度を検出するということは、本コンピュータ１０が携行されている可能性が高く、振動や衝撃を受けるおそれが高いわけである。そこで、本コンピュータ１０では、加速度センサ１２３が、ある程度の大きさをもつ加速度を検出すると、その旨を示す制御信号をＥＣ１１６に通知する。以降は、前述した第１実施形態のコンピュータ１０と同様の手順で、この制御信号を受け取ったＥＣ１１６が、その旨をＣＰＵ１１１に通知するための割り込みを発生させ、これにより、ＣＰＵ１１１が、ＨＤＤ１１３のハードディスクコントローラ２０１に対してコマンドＡを発行して、ＨＤＤ１１３を第２の動作モードへ移行させる。
【００３５】
図５は、本第２実施形態のコンピュータ１０のハードディスク２０２の保護に関わる動作原理を示すフローチャートである。
【００３６】
所定値を越える加速度が加速度センサ１２３により検知されると（ステップＢ１のＹＥＳ）、ＥＣ１１６経由でＣＰＵ１１１へと伝達される。そして、所定値を越える加速度の検知を知ったＣＰＵ１１１は、ハードディスク２０２へのアクセスを禁止し、不揮発性メモリ２０３のみの使用で動作させる命令をハードディスクコントローラ２０１に発行する（ステップＢ２）。
【００３７】
また、加速度が所定値以下となったことが加速度センサ１２３により検知されると（ステップＢ３のＹＥＳ）、ＥＣ１１６経由でＣＰＵ１１１へと伝達される。そして、加速度が所定値以下となったことを知ったＣＰＵ１１１は、不揮発性メモリ２０３とハードディスク２０２との間でデータの同期を取った上で、ハードディスク２０２へのアクセスを使用した動作に復帰させる命令をハードディスクコントローラ２０１に発行する（ステップＢ４，Ｂ５）。
【００３８】
このように、本コンピュータ１０によっても、振動や衝撃に対する耐性を低下させることなく、ハードディスク２０２を振動や衝撃から保護すべき状態におけるＨＤＤ１１３に対するアクセスを可能とする。
【００３９】
なお、上記実施形態では、表示パネル開閉センサ１２２または加速度センサ１２３によって、コンピュータ１０が携行され、振動や衝撃を受けるおそれが高い状況になったことを検出して、ＨＤＤ１１３を第１の動作モードから第２の動作モードに切り換える例を説明したが、本発明のディスク保護手法は、これに限らず、他にも種々適用可能である。
【００４０】
例えば、前述したように、ハードディスク２０２へのデータ書き込みおよびハードディスク２０２からのデータ読み出しは、ハードディスク２０２を回転させるスピンドルモータ、データ書き込みおよび読み出しのためのヘッド、およびヘッドを移動するためのアクチュエータ等を含む機械的な駆動機構を用いて実行される。従って、半導体メモリへのアクセスと比較して、その消費電力は大きくならざるを得ない。そこで、例えば本コンピュータ１０がバッテリ１１９からの電力で駆動している時、そのバッテリ１１９の残量がある基準値以下となったら、ＨＤＤ１１３を第１の動作モードから第２の動作モードに切り換えることにより、省電力化を図ることも有用である。図６は、この場合の動作原理を示すフローチャートである。
【００４１】
ＥＣ１１６は、ＡＣアダプタ１２０からの電力供給が無く（ステップＣ１のＮＯ）、バッテリ１１９の残量が所定値以下となったら（ステップＣ２のＹＥＳ）、割り込みを発生させてその旨をＣＰＵ１１１へと伝達する。そして、バッテリ１１９駆動中で当該バッテリがローバッテリ状態にあることを知ったＣＰＵ１１１は、ハードディスク２０２へのアクセスを禁止し、不揮発性メモリ２０３のみの使用で動作させる命令をハードディスクコントローラ２０１に発行する（ステップＣ３）。
【００４２】
また、ＡＣアダプタ１２０から電力供給が開始されると（ステップＣ４のＹＥＳ）、ＥＣ１１６は、その旨をＣＰＵ１１１へと伝達する。そして、外部電源からの電力供給を知ったＣＰＵ１１１は、不揮発性メモリ２０３とハードディスク２０２との間でデータの同期を取った上で、ハードディスク２０２へのアクセスを使用した動作に復帰させる命令をハードディスクコントローラ２０１に発行する（ステップＣ５，Ｃ６）。
【００４３】
ＡＣアダプタ１２０から電力供給が開始されると、電源回路１１８によりバッテリ１１９の充電が行われるので、再びＡＣアダプタ１２０からの電力供給が途絶えた際には、バッテリ１１９の残量が所定値まで充電されていれば、ＨＤＤ１１３はそのまま第１の動作モードが維持されるし、残量が所定値まで充電されていなければ、即時に第２の動作モードに移行されることになる。
【００４４】
このように、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４５】
【図１】この発明の第１実施形態に係る情報処理装置の外観を示す斜視図
【図２】同第１実施形態の情報処理装置のシステム構成を示す図
【図３】同第１実施形態の情報処理装置のハードディスクの保護に関わる動作原理を示すフローチャート
【図４】同第２実施形態の情報処理装置のシステム構成を示す図
【図５】同第２実施形態の情報処理装置のハードディスクの保護に関わる動作原理を示すフローチャート
【図６】同第１実施形態および第２の情報処理装置のハードディスクの保護に関わる動作原理の応用例を示すフローチャート
【符号の説明】
【００４６】
１０…情報処理装置（パーソナルコンピュータ）、１１…コンピュータ本体、１２…表示パネル、１３…キーボード、１４…パワーボタン、１５…タッチパッド、１１１…ＣＰＵ、１１２…メインメモリ、１１３…ハードディスクドライブ（ＨＤＤ）、１１４…表示コントローラ、１１５…リアルタイムクロック（ＲＴＣ）、１１６…エンベデッドコントローラ（ＥＣ）、１１７…ＢＩＯＳ−ＲＯＭ、１１８…電源回路、１１９…バッテリ、１２０…ＡＣアダプタ、１２１…ＬＣＤ、１２２…表示パネル開閉センサ、１２３…加速度センサ、２０１…ハードディスクコントローラ、２０２…ハードディスク、２０３…不揮発性メモリ。
【図１】
2008140076.tif 000003
【図２】
2008140076.tif 000004
【図３】
2008140076.tif 000005
【図４】
2008140076.tif 000006
【図５】
2008140076.tif 000007
【図６】
2008140076.tif 000008